(57)【特許請求の範囲】
【請求項１】
便器上面に載置される補高便座であって、
該補高便座本体の内周面の少なくとも後半下部にははねかえりを避けるための切欠き部が形成されており、
該補高便座本体下部の前側および左右両側には固定部材取付け凹部が凹設され、
該前側の固定部材取付け凹部の内側部にはフランジが垂設されており、
該固定部材取付け凹部の中央にはインサートナットが埋設され、
該固定部材取付け凹部に取付けられる固定部材は水平部分と垂直部分とからなるＬ字状に形成されており、
該固定部材の水平部分中央には長穴が設けられ、該固定部材は該長穴を介してボルトを上記インサートナットに螺着締付け固定することによってそれぞれ取付けられ、
該補高便座本体前部下側においては、該固定部材と該固定部材取付け凹部の内側部のフランジにより挟着固定し、該補高便座本体両側下部においては、該左右両側の固定部材によって挟着固定する
ことを特徴とする補高便座。
【請求項２】
上記Ｌ字状固定部材の垂直部分には樹脂製またはゴム製の保護カバー部材が嵌着されている請求項１に記載の補高便座。
【発明の詳細な説明】
【０００１】
【産業上の利用分野】
本発明は便座の高さを補い使用感を高めるために使用される補高便座に関する
ものである。
【０００２】
【従来の技術】
便器(1) を使用する人が便座（図示せず）に腰をおろし易くするため、あるいは便座から立上がり易くするために、図５および図６に示すような通常の便座よりも高い補高便座(2A)が提供されている（特開平１−１３６６２０号）。
該補高便座(2A)は便器(1) 上に直接あるいは便座上に取付けられて高さを補っている。
【０００３】
【発明が解決しようとする課題】
しかしながら上記補高便座(2A)にあっては、使用中に便器(1) の内容物のはねかえりが付着し汚れ易いと云う問題点があった。
【０００４】
【課題を解決するための手段】
本発明は上記従来の課題を解決するための手段として、便器(1) 上に載置される補高便座(2) であって、該補高便座本体(3) の内周面の少なくとも後半下部にははねかえりを避けるための切欠き部(31)が形成されており、
該補高便座本体(3) 下部の前側および左右両側には固定部材取付け凹部(34,34) が凹設され、該前側の固定部材取付け凹部(34)の内側部にはフランジ(35)が垂設されており、該固定部材取付け凹部(34)の中央にはインサートナット(341) が埋設され、該固定部材取付け凹部(34)に取付けられる固定部材(4) は水平部分と垂直部分とからなるＬ字状に形成されており、該固定部材(4) の水平部分中央には長穴(411) が設けられ、該固定部材(4) は該長穴(411) を介してボルト(342) を上記インサートナット(341) に螺着締付け固定することによってそれぞれ取付けられ、該補高便座本体(3) 前部下側においては、該固定部材(4) と該固定部材取付け凹部(34)の内側部のフランジ(35)により挟着固定し、該補高便座本体(3) 両側下部においては、該左右両側の固定部材(4) によって挟着固定する補高便座(2) を提供するものである。
更に、上記Ｌ字状固定部材(4) の垂直部分には樹脂製またはゴム製の保護カバー部材(42)が嵌着されていることが望ましい。
【０００５】
【作用】
本発明の補高便座(2) では、該補高便座本体(3) の内周面の少なくとも後半下部にははねかえりを避けるための切欠き部(31)が形成されているため、使用中に便器(1) の内容物のはねかえりが付着しにくい。
【０００６】
【発明の実施の形態】
本発明を図１〜図４に示す実施例によって説明する。図１および図２に示すように、便器(1) 上面に載置される補高便座(2) は、内周面の後半下部に切欠き部(31)を有する補高便座本体(3) と、該補高便座本体(3) を該便器(1) に固定する三つのＬ字状固定部材(4,4) とからなり、該固定部材(4,4) は該補助便座本体(3) の外周下部から差出されている。
【０００７】
該補高便座本体(3) 内周面後半下部の切欠き部(31)は、該切欠き部(31)下端部後端から該補助便座内周面前端までの距離：Ａ、該切欠き部(31)上端部後端から該補助便座内周面前端までの距離：ａとすると、Ａ＞ａとなるように設定され（図３参照）、該切欠き部(31)下端部の幅：Ｂ、該切欠き部(31)上端部の幅：ｂとすると、Ｂ＞ｂとなるように設定される（図４参照）。
【０００８】
また、該補高便座本体(3) の上面形状は全体的に若干前傾し（図３参照）、該補高便座(2) に着座する人の脚部が当たる上面両側前寄り部分は湾曲落込み形状とされ、該補高便座(2) に着座する人の尾てい骨が当たる後端部の上面内側部分に後端凹部(32)が形成され、前端部上面に全幅にわたって貫通凹部(33)が設けられる。
更に、該補高便座本体(3) 下部の前側および左右両側に固定部材取付け凹部(34,34) が凹設され、該固定部材取付け凹部(34)は該固定部材(4) を固定する時に手を入れて作業するのに十分な大きさに設定され、該固定部材取付け凹部(34)の中央にはインサートナット(341) が埋設され、該前側の固定部材取付け凹部(34)の内側部にはフランジ(35)が垂設される。
本実施例において、該補高便座本体(3) の材料としては、例えばポリエチレン、ポリプロピレン、ポリスチレン、アクリロトリル−スチレン（ＡＳ）、アクリロニトル−ブタジエン−スチレン（ＡＢＳ）等の合成樹脂が用いられる。
【０００９】
該Ｌ字状固定部材(4) は、金属製のＬ字状部材(41)と、樹脂製またはゴム製の保護カバー部材(42)とからなり、該Ｌ字状部材(41)の水平部分中央には長穴(411) が設けられ、該Ｌ字状部材(41)の垂直部分には該保護カバー部材(42)が嵌着される。
【００１０】
図３および図４に示すように、該Ｌ字状固定部材(4) を該補高便座本体(3) に取付ける場合、該補高便座本体(3) 下面に形成されている固定部材取付け凹部(34)内のインサートナット(341) に該固定部材(4) の長穴(411) を介して蝶ボルト(342) を挿通し、該インサートナット(341) に該蝶ボルト(342) を螺着して、該固定部材(4) を該補高便座本体(3) に取付ける。この際、該Ｌ字状固定部材(4) の長穴(411) を該長穴(411) に嵌合している該蝶ボルト(342) に対してスライドさせることによって、該補高便座(2) が取付けられる便器(1) の形状、大きさに応じて該固定部材(4) の取付け位置を調節することが可能となる。また、該保護カバー部材(42)を該Ｌ字状固定部材(4) に嵌着することにより、該便器(1) を傷つけることなく、該補高便座本体(3) を該便器(1) に固定することが出来る。
【００１１】
本実施例において、該補高便座(2) を該便器(1) に載置する場合、該補高便座本体(3) は、該便器(1) の便座（図示せず）を立ち上げた状態で該便器(1) 上面に載置され、該固定部材(4) の取付け位置を調節し、該蝶ボルト(342) で締付け固定することによって、該補高便座本体(3) 前側下部において該固定部材(4) と該固定部材取付け凹部(34)内側部のフランジ(35)とにより挟着固定し（図３参照）、該補高便座本体(3) 両側下部において該左右両側の固定部材(4,4) により挟着固定する（図４参照）。
【００１２】
便器(1) の便座では座面の高さが足りない使用者の場合、該補高便座(2) を使用することにより座面の高さを補うことが出来るため、使用者は前傾姿勢となり快適に用便することが可能となり、該補高便座本体(3) の内周面の少なくとも後半下部にははねかえりを避けるための切欠き部(31)が形成されているため、使用中に該便器(1) の内容物のはねかえりが付着し汚れるのを防止することが出来る。
【００１３】
また、該補高便座本体(3) の上面形状は全体的に若干前傾しているため、着座した人の臀部が落ち込みにくくなり、用便するのに最適な前傾姿勢をとることが出来る。
足を深く曲げるのが不自由な人にとっては、該補高便座(2) の座面が高く、かつ該補高便座本体(3) の上面形状が前傾していることにより、足を深く曲げることなく、軽く腰をおろすだけで該補高便座(2) に着座することが出来、楽な着座姿勢をとることが出来、更に、膝等への負担をかけることなく、楽に該補高便座(2) から立ち上がることが可能となる。
【００１４】
該補高便座(2) に着座する人の脚部が当たる上面両側前寄り部分は湾曲落込み形状とされるため、使用者が脚を置いた時の使用感が大変良好となり、かつ安定感のある座り心地が得られる。
更に、該補高便座本体(3) の後端部に後端凹部(32)を設けることにより、着座する人の尾てい骨が当たり難くなり、長時間座っていても大変良好な座り心地が得られる。
また更に、該補高便座本体(3) の前端部に全幅にわたって形成されている貫通凹部(33)によって、用便後に本人又は介護人が該補高便座本体(3) の前端部の貫通凹部(33)から手を差し入れて清拭することが容易になる。
【００１５】
【発明の効果】
本発明では、使用中に便器の内容物のはねかえりが補高便座に付着し汚れるのを防止することが出来る。
【図面の簡単な説明】
図１〜図４は本発明の実施例を示すものである。
【図１】  補高便座の斜視図
【図２】  補高便座の裏側からの斜視図
【図３】  装着状態における補高便座の説明側断面図
【図４】  装着状態における補高便座の説明正断面図
【図５】  従来例の斜視図
【図６】  従来例の裏側からの斜視図
【符号の説明】
1           便器
2           補高便座
3           補高便座本体
31          切欠き部
【図１】
0004509353.tif 000002
【図２】
0004509353.tif 000003
【図３】
0004509353.tif 000004
【図４】
0004509353.tif 000005
【図５】
0004509353.tif 000006
【図６】
0004509353.tif 000007